(57)【要約】【課題】線種を容易に識別して据え付けることができるとともに、屋外に据えつけられても劣化状態を容易に且つ明確に確認すること。【解決手段】ＤＶ線１００は、導体１１２，１２２，１３２をそれぞれ塩化ビニル樹脂製の絶縁体１１４，１２４，１３４で被覆した線心１１０，１２０，１３０を撚ることで形成されている。線心１２０は、線心１１０と外周面の形状が異なるとともに、その線心１２０の絶縁体１２４は、線心１１０の絶縁体１１４と同様の素材からなり絶縁体１１４と同色の外周面を含む外層１２８と、外層１２８により被覆され、外層１２８と色が異なる色層１２６とを有する。線心１３０は、線心１２０と同形状の線心であり、色層を有しておらず、導体１３２を被覆する絶縁体１３４を、絶縁体１１４及び外層１２８と同様の素材で同色に構成してなる。【選択図】図２
2008066174.tif 000002
【特許請求の範囲】
【請求項１】
第１導体に第１絶縁体を被覆してなる第１線心と、
第２導体に前記第１絶縁体と外周面の形状が異なる第２絶縁体を被覆してなる第２線心とを含む複数の線心を撚ってなり、
前記第２絶縁体は、前記第１絶縁体と同様の素材からなり前記第１絶縁体と同色の外周面を含む外層と、前記外層により被覆され、前記外層と色が異なる色層とからなり、
前記第１絶縁体及び前記第２絶縁体のうち一方は角筒形状に形成され、他方は前記一方の角形断面における輪郭の内接円と略同一の外周を有する円筒状に形成されていることを特徴とする撚り線。
【請求項２】
前記複数の線心は、
前記第２絶縁体の外周面の形状と同形状を有し、且つ前記外層と同様の素材からなり前記外層と同色の第３絶縁体によって第３導体を被覆してなる第３線心を更に含むことを特徴とする請求項１記載の撚り線。
【発明の詳細な説明】
【技術分野】
【０００１】
本発明は、絶縁体で導体を被覆した線心を複数撚ってなる撚り線に関する。
【背景技術】
【０００２】
従来、例えば、特許文献１に開示の方法によって電信柱に据え付けられて、当該電信柱から一般の家屋に引き込まれる引き込み線は、二線心又は三線心の電線からなる。
【０００３】
これら二線心又は三線心の電線は、それぞれ導体を、塩化ビニル樹脂からなる絶縁体によって被覆することにより形成されている。
【０００４】
引き込み線を構成する二線心又は三線心の電線では、配電の際に幹線や接地線として識別するために、それぞれ絶縁体自体を黒、緑、青などの色の異なる塩化ビニ樹脂により形成したり、それぞれの絶縁体の表面にのみ、黒、緑、青などの色層を設けたりしている。
【０００５】
ところで、塩化ビニル樹脂には、可塑剤、充填材、安定剤などの添加物が配合されている。例えば、可塑剤は、フタル酸エステル、ポリエステル、リン酸エステル、エポキシ系化合物等であり、塩化ビニル樹脂に柔軟性を持たせるために成形時に所定量混入されている。
【０００６】
これら塩化ビニル樹脂層内の可塑剤等の添加剤は、空中に放置されている状態において太陽光に晒されるなどして揮発・流出し、これにより塩化ビニル樹脂層を劣化させることが知られている。
【０００７】
このため、線心では、塩化ビニル樹脂層が経年によって劣化し、電線の絶縁体の厚さは経過年数に応じて減少する。
【０００８】
このような電線を二線又は三線用いて形成された引き込み線では、線心における絶縁体の劣化部分（被覆層が薄くなった部分）が経年劣化によって導体露出や絶縁性能の低下が部分的に発生することが知られている。この周囲が降雨等により潤滑環境に変化して他の電線との劣化部分の位置に応じてトラッキングによる絶縁低下が進行する。
【０００９】
このような従来の引き込み線では、主に降雨によって、他の線心との２相間の絶縁が維持できなくなった場合、短絡事故が発生する可能性がある。このとき、１相若しくは２相の断線または引き込み線保護ヒューズが切れることで収束されることとなるが、このような事故を未然に防ぐためには、早めに引き込み線の劣化・損傷等を発見して、速やかに新しいものと交換する必要がある。
【特許文献１】特開平１１−１３６８２１号公報
【発明の開示】
【発明が解決しようとする課題】
【００１０】
しかしながら、従来の引き込み線を構成する二線心又は三線心の電線では、それぞれの電線の絶縁体に対してその全体を色層として識別するものとなっているため、黒の絶縁体よりも劣化が早い青、緑といった絶縁体を有する電線は、黒の絶縁体を有する電線がまだ利用可能な耐候性を有する状態であっても、交換する必要が生じる。
【００１１】
また、黒、青、緑等の異なる色をそれぞれの線心の絶縁体全体として用いて識別する二線心又は三線心の電線では、外観上から、それぞれの絶縁体の劣化状態は判断しにくく困難である。このため、黒、青、緑等の異なる色をそれぞれの線心の絶縁体全体として用いて識別する引き込み線において短絡を防ぐために未然に線心を交換する際の劣化確認作業は、直接作業者が電柱に昇って高い位置で確認する必要があり手間がかかるという問題がある。
【００１２】
また、複数の線心からなる引き込み線において、絶縁体の表面にのみ緑、青の色層を設けてそれぞれの線心を識別する場合、その線心では、経年による劣化によって色層が早く消滅する。このため、色層の下層の絶縁体の色が他の線心の絶縁体の色と同色である場合、他の線心との区別がしにくく、実際の劣化状態を判断しにくいという問題がある。
【００１３】
これに対して、引き込み線を構成する二線心は三線心の電線全ての絶縁体の色を色層より耐年数が長い黒色にして対応することが考えられるが、一般的に使用されている線心の様に円形の絶縁体で製作した場合、引き込み線を据えつける際において線心間の識別ができない。これら円形線心同士を識別するために、色や文字を表面に印刷したりすることが知られているが、誤配線を招き易く、作業者が注視して作業する必要が生じるため実際の現場ではその識別に手間がかかるという問題がある。
【００１４】
本発明はかかる点に鑑みてなされたものであり、線種を容易に識別して据え付けることができるとともに、屋外に据えつけられても劣化状態を容易に且つ明確に確認できる撚り線を提供することを目的とする。
【課題を解決するための手段】
【００１５】
本発明の撚り線は、第１導体に第１絶縁体を被覆してなる第１線心と、第２導体に前記第１絶縁体と外周面の形状が異なる第２絶縁体を被覆してなる第２線心とを含む複数の線心を撚ってなり、前記第２絶縁体は、前記第１絶縁体と同様の素材からなり前記第１絶縁体と同色の外周面を含む外層と、前記外層により被覆され、前記外層と色が異なる色層とからなり、前記第１絶縁体及び前記第２絶縁体のうち一方は角筒形状に形成され、他方は前記一方の角形断面における輪郭の内接円と略同一の外周を有する円筒状に形成されている構成を採る。
【発明の効果】
【００１６】
以上説明したように、本発明によれば、線種を容易に識別して据え付けることができるとともに、屋外に据えつけられても劣化状態を容易に且つ明確に確認できる。
【発明を実施するための最良の形態】
【００１７】
以下、本発明の実施の形態について、図面を参照して詳細に説明する。
【００１８】
図１及び図２は、本実施の形態に係る撚り線としての引き込み用ビニル絶縁電線（以下、「ＤＶ（Polyvinyl Chloride Insulated Drop Wire」線」という）１００を説明するものであり、図１はＤＶ線１００の斜視図、図２は図１におけるＤＶ線１００の拡大断面図である。
【００１９】
図１及び図２に示すように、ＤＶ線１００は、複数の線心、ここでは、三本の線心１１０，１２０，１３０を撚ることにより形成されている。
【００２０】
これら線心１１０，１２０，１３０はそれぞれ導体１１２，１２２，１３２に塩化ビニル樹脂製の絶縁体１１４，１２４，１３４を被覆することで形成されている。なお、絶縁体１１４，１２４，１３４は、ポリエチレン混合物で構成してもよい。この場合、線心１１０，１２０，１３０を撚ることでなる撚り線は、ＤＶ線ではなく、ＤＥ線、ＩＥ線となる。
【００２１】
これら線心１１０，１２０，１３０について詳細に説明する。
【００２２】
ＤＶ線１００を構成する複数の線心１１０，１２０，１３０のうち、線心１１０，１２０はそれぞれ形状が異なるものであり、線心１１０は、断面視して外周が多角形である多面体となっている。ここでは、線心１１０は、断面視正八角形の輪郭を持つ絶縁体１１４を有し、その中心部分に同一軸心の導体１１２が配置されている。
【００２３】
線心１２０は、線心１１０とは形状が異なり、断面視して外周が円形であるとともに、内部に色層１２６を有する絶縁体１２４を備える。
【００２４】
つまり、線心１２０では、導体１２２を被覆する塩化ビニル樹脂製の絶縁体１２４は、導体１２２の周囲部分を被覆する色層１２６と、色層１２６を上から被覆するとともに色層１２６とは異なる色の外層（ここでは黒色層）１２８とを備える。
【００２５】
外層１２８は、線心１１０の絶縁体１１４と同様の素材から構成され、絶縁体１１４と同様の色を有する。なお、絶縁体１１４及び外層１２８は、色層１２６よりも耐候性に優れており、屋外で使用された場合に、色層１２６よりも変形、変色、劣化等の変質を起こしにくい。例えば、周知のように、黒色の塩化ビニル樹脂製の絶縁体は、緑色や青色の塩化ビニル樹脂製の絶縁体よりも耐候性が優れている。例えば、絶縁体１１４及び外層１２８は、黒色を発色させる材料を含む素材によって構成され、色層１２６は遠方からでも認識しやすい色（例えば、緑色、黄色等）を発色させる顔料を含む素材によって構成される。
【００２６】
なお、ここでは、黄色の顔料により塩化ビニル樹脂を着色して、黄色の塩化ビニル樹脂製の色層１２６を構成しているが、これに限らず、緑色や青色によって着色された色層１２６を構成してもよい。なお、緑と青の塩化ビニル樹脂では、緑色の塩化ビニル樹脂の方が、青色の塩化ビニル樹脂よりも耐候性に優れるため、色層１２６としては青色の塩化ビニル樹脂よりも緑色の塩化ビニル樹脂を用いることが好ましい。
【００２７】
また、線心１２０における色層１２６は、絶縁体１２４において、その厚みの２／３以下、さらには１／２以下であることが望ましい。
【００２８】
なお、線心１２０の外径は、線心１１０の外径に対して略内接する長さとなっている。すなわち、線心１２０は、断面視して、線心１１０に略内接する形状となっており、線心１２０の直径は、線心１１０における内接円の直径と略等しいものとして構成されている。
【００２９】
線心１３０は、線心１２０と同径のものであり、導体１３２と導体１３２を被覆する塩化ビニル樹脂製の単色（ここでは黒色）の絶縁体１３４とにより形成されている。
【００３０】
本実施の形態では、それぞれの線心１１０，１２０，１３０における導体１１２，１２２，１３２は、全て略同一の直径を有している。このため、線心１３０における絶縁体１３４の厚さと、線心１２０の絶縁体１２４の厚さとは略同一の厚さとなっている。
【００３１】
この線心１３０の絶縁体１３４は、線心１１０の絶縁体１１４及び線心１２０の絶縁体１２４における外層１２８と同一の素材により形成されており、それぞれ黒色となっている。また、この線心１３０も線心１２０と同様に、その直径は、線心１１０における内接円の直径に略等しい。
【００３２】
図３は、本発明の一実施の形態に係る撚り線の一例であるＤＶ線１００を屋外にて据え付けた状態を示す図である。
【００３３】
図３に示すように、ＤＶ線１００は、高圧線（ＯＣ線）２１及び低圧線（ＯＷ線）２２を支持する電柱２３に設けられた柱上変圧器２４と家屋２５間との間に架設されている。
【００３４】
柱上変圧器２４は、電圧を高圧より低圧に変更するものであり、高圧線２１に分散されて配置される配電変圧器である。ここでは、高圧線２１と高圧引下用絶縁電線２６を介して接続されている。なお、高圧引下用絶縁電線２６は、途中に高圧カットアウト２７が配設され、腕金２８によって電柱２３に支持されている。家屋２５は、高圧線２１に分散された柱上変圧器２４の二次側で結線された低圧配電線であるＤＶ線１００を介して配電されている。
【００３５】
まず、本実施の形態のＤＶ線１００では、それぞれの線心１１０，１２０，１３０（図１及び図２参照）が形状にて判別できるものとなっている。ここでは、線心１１０（図１及び図２参照）を接地用線心とし、線心１２０，１３０（図１及び図２参照）を幹線用線心とし、接地用と幹線用の線心とをその形状により識別できるものとなっている。
【００３６】
このため、作業者がＤＶ線１００と電柱２３の柱上変圧器２４とを接続したり、ＤＶ線１００を家屋２５側で接続する際に、ＤＶ線１００を構成する線心１１０，１２０，１３０において、線心１２０，１３０（幹線用の線心）と形状が異なる線心１１０を、接地用線心として識別し、所定の箇所に据えつけることができる。
【００３７】
また、本実施の形態のＤＶ線１００によれば、経年により紫外線や風雨に晒されることによって劣化した場合でも、線心１２０の絶縁体１２４（図１及び図２参照）において色層１２６が外部に露出しているか否かを識別し、これによって、ＤＶ線１００の劣化状態を判定することができる。
【００３８】
すなわち、本実施の形態のＤＶ線１００では、経年により紫外線や風雨に晒されることによって劣化した場合、線心１２０の絶縁体１２４（図１及び図２参照）において色層１２６が外部に露出する。ＤＶ線１００を構成する複数の線心１１０，１２０，１３０は、それぞれ同様に劣化しているものと考えられるため、この色層１２６を視認することによって、作業者は、ＤＶ線１００の劣化状態を判定することができる。
【００３９】
詳細には、色層１２６を有する線心１２０と同一の外径を有するとともに外周部が同様に形成されている線心１３０は、経年によって線心１２０と同様に劣化しているものと判定できる。つまり、線心１２０の絶縁体１２４において色層１２６が露出する場合、線心１２０とともに線心１３０も同様に劣化していると判定できる。また、線心１２０の外径は、線心１１０における内接円の直径と略等しいため、線心１２０の劣化に伴い、線心１１０も同様に劣化しているものと見なすことができる。
【００４０】
よって、ＤＶ線１００が、経年により紫外線や風雨に晒されたり、振動が加えられる等により、線心１１０，１２０，１３０の絶縁体１１４，１２４，１３４が劣化しても、短絡事故が発生する程度の劣化となる前の適切な時期に、ＤＶ線１００を新しいものに交換することができる。
【００４１】
さらに、線心１２０では、塩化ビニル樹脂製の絶縁体１２４において、他の線心１１０，１３０の絶縁体１１４，１３４を構成する黒色の塩化ビニル樹脂と比べて耐候性が劣る色層１２６を有しているが、これら色層１２６は、絶縁体１１４，１３４と同様の黒色の外層１２８により被覆されている。
【００４２】
つまり、線心１２０では、色層１２６を有しつつも、色層１２６自体が外部に露出しておらず、ＤＶ線１００全体としては、全ての線心１１０，１２０，１３０は耐候性に優れた黒色の絶縁体が外部に露出した状態となっている。
【００４３】
このため、本実施の形態のＤＶ線１００によれば、据えつける際の線心に識別を容易に行うことができるとともに、交換時期を、従来のＤＶ線より長くすることができる。また、構成する複数の線心１１０，１２０，１３０は、相対的に劣化することになる。
【００４４】
なお、本実施の形態では、ＤＶ線１００を構成する複数の線心１１０，１２０，１３０を、正八角形の断面を有する線心１１０と、色層１２６を有する円形断面を有する線心１２０と、線心１２０と同径で、色層を有さない線心１３０とで構成したが、これに限らない。
【００４５】
すなわち、撚り線１００としてのＤＶ線１００を構成する複数の線心１１０，１２０，１３０において、一つを他の線心と外周部の形状が異なるものとし、一つの線心の絶縁体内に色層が設けられていればどのような線心によってＤＶ線を構成してもよい。
【００４６】
図４及び図５は、本発明に係る撚り線の変形例としてのＤＶ線の構成を示す概略断面図である。
【００４７】
図４に示すＤＶ線２００は、複数の線心２１０，２２０，２３０を撚ることによって形成され、ここでは、接地線となる一本の円形線心２１０と、円形線心２１０と断面視して外郭の形状が異なる２本の幹線用の多角形線心２２０，２３０とから形成されている。
【００４８】
円形線心２１０は、線心１３０と同様のものである。
【００４９】
また、多角形線心２２０，２３０のうち一つ２３０は、上述した線心１１０であり、もう一方２２０は、線心１１０と外周部が同形状で、且つ、導体２２２を被覆する絶縁体２２４を色の付いた色層２２６と、色層２２６を被覆する外層２２８とで形成してなる。
【００５０】
このＤＶ線２００によれば、上述のＤＶ線１００と同様の作用効果を得ることができる。
【００５１】
図５に示すＤＶ線３００は、ＤＶ線１００において、線心１３０（図１及び図２参照）を、断面円形の外周部分に断面半円状の突条部３１０を設けた突条付き線心３３０に変えたものである。詳細には、突条付き線心３３０は、導体１３２を突条部３１０を有する絶縁体３１４で被覆してなる。
【００５２】
この突条付き線心３３０は、断面視して、突条部３１０を除いた径を線心１２０の外径と略同一の径で形成してなる。
【００５３】
これにより、突条付き線心３３０を用いたＤＶ線３００を実際に屋外において家屋と電柱との間に架設した後、経過年数によって、線心１２０の絶縁体１２４において色層１２６が外部に露出する際には、線心１２０と同様に劣化しているものと認識させることができる。
【００５４】
なお、本実施の形態の引き込み用ビニル絶縁電線（ＤＶ線）１００では、撚られる複数の線心のうち、線心１１０は、断面視正八角形の輪郭を持つ絶縁体１１４を有し、その中心部分に同一軸心の導体１１２が配置されている構成としたが、これに限らず、断面視正五角形の輪郭を持つ絶縁体により導体を被覆した構成としても良い。
【００５５】
図６は、本発明に係る撚り線の別例としてのＤＶ線（引き込み用ビニル絶縁電線）の構成を示す概略断面図である。
【００５６】
図６に示すＤＶ線５００は、ＤＶ線１００と比較して、３本の線心のうち、線心１１０ａの断面形状のみ異なりその他の構成は同様のものである。よって、同一の構成要素については同名称、同符号を付して説明は省略する。
【００５７】
すなわち、図６に示すＤＶ線５００は、複数の線心、ここでは、三本の線心１１０ａ，１２０，１３０を撚ることにより形成され、これら線心１１０ａ，１２０，１３０はそれぞれ導体１１２，１２２，１３２に塩化ビニル樹脂製の絶縁体１１４ａ，１２４，１３４を被覆することで形成されている。
【００５８】
線心１１０ａは、断面視正五角形の輪郭を持つ絶縁体１１４ａを有し、その中心部分に同一軸心の導体１１２が配置されている。
【００５９】
線心１１０ａの輪郭（外径）は、断面視して、線心１２０の外径が略内接する形状に形成されており、線心１１０ａにおける内接円の直径は、線心１２０の直径と略等しいものとして構成されている。このように構成されるＤＶ線５００は、ＤＶ線１００と同様の作用効果を得ることができる。
【００６０】
本発明の第１の態様に係る撚り線は、第１導体に第１絶縁体を被覆してなる第１線心と、第２導体に前記第１絶縁体と外周面の形状が異なる第２絶縁体を被覆してなる第２線心とを含む複数の線心を撚ってなり、前記第２絶縁体は、前記第１絶縁体と同様の素材からなり前記第１絶縁体と同色の外周面を含む外層と、前記外層により被覆され、前記外層と色が異なる色層とからなり、前記第１絶縁体及び前記第２絶縁体のうち一方は角筒形状に形成され、他方は前記一方の角形断面における輪郭の内接円と略同一の外周を有する円筒状に形成されている構成を採る。
【００６１】
この構成によれば、撚られた複数の線心に、第１線心とともに第１線心とは形状が異なる外周面を有するとともに内部に、外層と色が異なる色層を有する第２線心が含まれる。このため、接地線や幹線を異なる形状の線心としておくことで、所定箇所に据えつける際に、外周面の形状により線心を識別でき、容易に且つ正確に据えつけることができる。
【００６２】
また、屋外など太陽光や風雨に晒される所定箇所に据えつけられた後、経年によって消失劣化した際に、第２の線心では、先ず外周面を含む外層が消失した後で、色層が外部に露出する。このため、その色層の露出状態を確認することによって、第２線心の劣化を容易に且つ明確に判断でき、この第２線心の劣化を、第１線心、更には、これら線心を含む複数の線心による撚り線全体の劣化として確認して、撚り線自体の交換を好適な時期に行うことができる。
【００６３】
本発明の第２の態様に係る撚り線は、上記構成において、前記複数の線心は、前記第２絶縁体の外周面の形状と同形状を有し、且つ前記外層と同様の素材からなり前記外層と同色の第３絶縁体によって第３導体を被覆してなる第３線心を更に含む構成を採る。
【００６４】
この構成によれば、第３線心は、第２線心と色層の有無のみ相違する線心として構成できるため、第２線心において経年により絶縁体の外層が消失した際に、第３線心も経年によって外層の消失と同様に消失する。したがって、第３線心は、第２線心の色層の外部露出状態によって、その劣化状態を正確に判定される。つまり、複数の線心では、第３線心の第３絶縁体に色層が無くても、第３線心自体の劣化が判定できる。
【産業上の利用可能性】
【００６５】
本発明に係る撚り線は、線種を容易に識別して据え付けることができるとともに、屋外に据えつけられても劣化状態を明確に確認できる効果を有し、屋外において配電のために電柱と家屋間に架空状態で据えつけられる引き込み線（ＤＶ線）として有用である。
【図面の簡単な説明】
【００６６】
【図１】本実施の形態に係る撚り線としての引き込み用ビニル絶縁電線の斜視図
【図２】本実施の形態に係る撚り線としての引き込み用ビニル絶縁電線の拡大断面図
【図３】本発明の一実施の形態に係る撚り線の一例であるＤＶ線を屋外にて据え付けた状態を示す図
【図４】本発明に係る撚り線の変形例としてのＤＶ線の構成を示す概略断面図
【図５】本発明に係る撚り線の変形例としてのＤＶ線の構成を示す概略断面図
【図６】本発明に係る撚り線の別例としてのＤＶ線の構成を示す概略断面図
【符号の説明】
【００６７】
１００、２００、３００、５００  引き込み用ビニル絶縁電線（撚り線）
１１０，１２０、１３０  線心
１１２，１２２、１３２  導体
１１４、１２４、１３４  絶縁体
１２６  色層
１２８  外層
【図１】
2008066174.tif 000003
【図２】
2008066174.tif 000004
【図３】
2008066174.tif 000005
【図４】
2008066174.tif 000006
【図５】
2008066174.tif 000007
【図６】
2008066174.tif 000008